(57)【要約】【課題】スキャナでは隠しパターンを検出できず、パソコンで隠しパターンの作成ができず、プリンタのインクとしては市販されていない材料を使用することによって複数のハードルを設けた偽造防止技術が開示されている。しかし、前記技術は、印刷物の偽造対策のために多くの特殊材料を使用して印刷しなければならず、また、真偽判定のために広い波長領域の光を照射するための光源を備えた判定装置を用意しなければならない。【解決手段】前記課題を解決するために、少なくとも一部に真偽判定のための情報領域を有する印刷物であって、前記真偽判定のための情報領域には、可視光波長域および赤外光波長域の光を照射することによって赤外光を発光する情報を形成する認証用印刷物を提供する。【選択図】  図１
2007136838.tif 000002
【特許請求の範囲】
【請求項１】
少なくとも一部に真偽判定のための情報領域を有する印刷物であって、
前記真偽判定のための情報領域には、可視光波長域および赤外光波長域の光を照射することによって赤外光を発光する情報が形成されたことを特徴とする認証用印刷物。
【請求項２】
請求項１に記載の認証用印刷物において、
赤外光を発光する情報は、印刷または、プリンタによって形成された情報であることを特徴とする認証用印刷物。
【請求項３】
請求項２に記載の認証用印刷物において、
赤外光を発光する情報は、コード化された情報であることを特徴とする認証用印刷物。
【請求項４】
請求項１〜３何れか一項に記載の認証用印刷物の認証方法であって、
認証用印刷物に可視光波長域および赤外光波長域の光を照射し、発光した赤外光を検知して印刷物を認証することを特徴とする認証用印刷物の認証方法。
【発明の詳細な説明】
【技術分野】
【０００１】
本発明は、認証用印刷物およびその認証方法に関し、詳しくは、真偽判定を必要とする印刷物上に可視光および赤外光を照射することによって、赤外光を発光する領域を設けた認証用印刷物およびその認証方法に関する。
【背景技術】
【０００２】
従来、商品に貼付されたラベルや印刷物の真偽を判定する際に、紫外線で発光する材料で認証用のマークを印刷し、紫外線ランプを照射して目視で判定したり、赤外光を吸収する材料で機械読取コード等を印刷して赤外線を照射して機械判定する、光を利用する真偽判定方法が多く利用されている。
しかし、近年では、蛍光発光材料や、赤外光吸収材料の入手が比較的容易になり、これらの材料を偽造防止，偽造牽制手段として使用しても、専門知識を持っているものであれば光源を入手し、ラベルや印刷物に照射し、確認し、偽造することはそれほど難しいことではなくなってきている。
そこで、機械読み取り可能な材料で印刷された印刷物に、可視光波長域の光を照射した際の反射状態、紫外線波長域の光を照射した際の反射状態、及び、赤外線波長域の特定波長を照射した際の特定波長の発光状態が、前記機械読み取りにおいて同時に検出され、その検出状態に基づいて真偽判別を可能とする真偽判別可能な貴重印刷物が提供されている（例えば、特許文献１参照）。
【０００３】
【特許文献１】特開２０００−２６３９０９号公報
【発明の開示】
【発明が解決しようとする課題】
【０００４】
特許文献１に記載の技術は、スキャナ，パソコン，プリンタによって偽造しようとしても、例えば、スキャナでは隠しパターンを検出できず、したがってパソコンで隠しパターンの作成ができず、また、プリンタのインクとしては市販されていない材料を使用することによって複数のハードルを設けた偽造防止技術である。
しかし、特許文献１に記載の技術は、印刷物の偽造対策のために多くの特殊材料を使用して印刷しなければならず、また、真偽判定のために広い波長領域の光を照射するための光源を備えた判定装置を用意しなければならない。
【課題を解決するための手段】
【０００５】
前記課題を解決するために、本発明の認証用印刷物の第１の発明は、少なくとも一部に真偽判定のための情報領域を有する印刷物であって、前記真偽判定のための情報領域には、可視光波長域および赤外光波長域の光を照射することによって赤外光を発光する情報が形成されたことを特徴とするものである。
【０００６】
また、第２の発明は、第１の発明において、赤外光を発光する情報は、印刷またはプリンタによって形成された情報であることを特徴とするものである。
【０００７】
また、第３の発明は、第２の発明において、赤外光を発光する情報は、コード化された情報であることを特徴とするものである。
【０００８】
また、第４の発明は、第１〜３何れかの発明の認証方法であって、認証用印刷物に可視光波長域および赤外光波長域の光を照射し、発光した赤外光を検知して印刷物を認証することを特徴とするものである。
【発明の効果】
【０００９】
１）第１の発明のように、少なくとも一部に真偽判定のための情報領域を有する印刷物であって、前記真偽判定のための情報領域には、可視光波長域および赤外光波長域の光を合せて照射することにより赤外光を発光する情報が形成されたことによって、セキュリティ性が高い認証用印刷物を提供することができる。
２）また、第２の発明のように、第１の発明において、赤外光を発光する情報は、印刷またはプリンタによって形成された情報であることによって、透明性の高い材料を印刷もしくはインクジェット等でプリントしたり、他の着色顔料と混合して印刷デザインの中に融合することで、セキュリティ材料の存在を目視では判別困難とすることが出来る。
また、ホログラム等の別のセキュリティ技術との組み合わせも可能となり、印刷物の偽造防止効果をより高めることができる。
３）また、第３の発明のように、第２の発明において、赤外光を発光する情報は、コード化された情報であることによって、対象となる印刷物のユニーク状態まで判別することができ、認証業務をシステム化する場合に容易に移行することができる。
４）また、第４の発明のように、第１〜３何れかの発明の認証方法であって、認証用印刷物に可視光波長域および赤外光波長域の光を照射し、発光した赤外光を検知して印刷物を認証することによって、識別パターン認証装置を比較的安価に抑えることができる。即ち、励起デバイスとして、例えば、可視光を発光するＬＥＤと赤外光を発光するＬＥＤを搭載させ、また、受光デバイスとして赤外領域に感度をもつフォトカプラーを搭載させる。可視光と赤外光の双方の励起光に対して、受光部で所定の強度以上の発光光を検知できた場合のみ、真正なものと判断し、それ以外の場合は不正なものとして排除することができる。
【発明を実施するための最良の形態】
【００１０】
以下、図面を参照して本発明の認証用印刷物とその認証方法について説明する。
図１は、本発明の認証用印刷物の一例である商品券について説明するための図，図２は、図１のＡ−Ａ線断面図，図３は、認証用印刷物の認証方法について説明するための図，図４は、認証用印刷物を認証するために照射する光源について説明するための図，図５は、識別パターン読取部からみえる図１で説明した商品券の券面の一例，図６は、識別パターン読取部のセンサーの感度領域について説明するための図，である。
【００１１】
図１を参照して、本発明の認証用印刷物の一例である商品券について説明する。
認証用印刷物（以下、本実施の形態の説明では商品券ともいう）１の表面は、認証用印刷物が「商品券」であることを示す券名印刷部１３，「５０，０００円」の商品券であることを示す金種印刷部１４，識別パターン印刷部１２，図示しないがその他説明文やデザイン，地紋等で構成されている。
【００１２】
商品券の基材１０には、可視光線と赤外線を照射したときに赤外光を発光する物質を含んでいない材料（以下、紙ともいう）を選択する。前記材料が使用できない場合は、商品券を作成する前に、基材１０の表面に、可視光線と赤外線を照射したときに発光する赤外光を吸収、または、遮蔽する塗料を全面に塗布する。
【００１３】
図１において、識別パターン印刷部１２の万線パターン１５，券名印刷部１３，金種印刷部１４，図示しないがその他説明文やデザイン，地紋等は、通常インキ（例えば、プロセスインキ、または、プロセスインキで調合された特色インキで印刷される。
また、識別パターン１１は、可視光線と赤外線を照射したときに可視光で励起され、赤外光を発光する赤外発光インキで印刷される。
【００１４】
識別パターン１１（太さが異なる線分が、同一ではない所定の間隔で並べられたパターン）は、例えば、バーコードのようにセンサーによって読取られるパターン状のコードであるほうが便利で、その場合は、識別パターン１１の存在を偽装するために黒色または、識別パターン印刷色に近い色のインキで万線パターン１５（同一の太さの線分が同一間隔で並べられたパターン）を印刷する。万線パターン１５は、識別パターン１１より先に形成される。
商品券の表面に識別パターン１１の存在が判別されにくい背景が印刷されている場合は、前記万線パターン１５は印刷されなくても良い。
識別パターン１１は、番号器等を使用して、印刷によって形成されても、例えばインクジェットプリンタや熱転写プリンタ等によってプリントされてもよい。
【００１５】
図２を参照して、図１のＡ−Ａ線断面について説明する。
商品券の基材１０の片面、識別パターン印刷部１２の表面には、通常インキで印刷された万線パターン１５と、赤外発光インキで印刷された識別パターン１１が図に示すように形成されている。
万線パターン１５が識別パターン１１より先に形成されるために、識別パターン１１は、万線パターン１５の上に覆いかぶさるように形成されている。
万線パターン１５の印刷表面は、通常インキ面になっており、識別パターン１１がプリンタで形成される場合、通常インキとプリンタのインキが接着し難い場合があり、そのような場合は、プリンタのインキが接着し易い透明材料で識別パターン印刷部１２を被覆する。
【００１６】
図３，図５を参照して、認証用印刷物の認証方法について説明する。
認証用印刷物１０の識別パターン印刷部１２に形成された識別パターン１１（商品券ごとにユニークな、バーコードで表示された番号）は、識別パターン認証装置２の可視光光源２２と、赤外光光源２１から照射された可視光及び赤外光に照射され、赤外光を発光し、発光した光は、識別パターン認証装置２の識別パターン読取部２３で読取られる。
識別パターン認証装置２の可視光光源２２と赤外光光源２１は、例えば、図３に示すように、可視光発光ＬＥＤ（Ｌｉｇｈｔ  Ｅｍｉｔｔｉｎｇ  Ｄｉｏｄｅ）と赤外光発光ＬＥＤをそれぞれ独立した別々のＬＥＤとして用いても良いが、可視領域から赤外領域にわたる波長光発光ＬＥＤを用いて、これとフィルターを組み合わせることで可視光と赤外光を分離して使うこともでき、後者の場合は可視光および赤外光光源を独立に設ける必要がなく、コンパクトに出来る点で優れている。
【００１７】
識別パターン認証装置２の可視光光源２２と、赤外光光源２１から照射された可視光及び赤外光を照射された商品券の券面は、識別パターン読取部２３から見た場合、図５に示すように、赤外光照射時には識別パターン１１が明るく発光した状態に見え、可視光照射時には識別パターン１１以外の万線パターン１５，券名印刷部１３，金種印刷部１４，図示しないがその他説明文やデザイン，地紋等は、一面明るい状態に見える。
【００１８】
認証用印刷物の読み取り方法として、発光部（識別パターン）をラインで読取る場合と、面で読取る場合がある。
図３に示した例のように、発光部（識別パターン）を面で読取る場合は、発光光源から照射された光が券面を面状に照射し、受光部のフォトトランジスタがデジタルカメラに組み込まれたＣＣＤ（Ｃｈａｒｇｅ  Ｃｏｕｐｌｅｄ  Ｄｅｖｉｃｅ）のように面で捕らえて読取る。
そのような場合は、識別パターン１１は、数字でも、二次元コードでも良い。
【００１９】
発光部（識別パターン）をラインで読取る場合は、例えば、商品券を読取装置に読み込ませ、商品券を動かして発光部（識別パターン）を読取る。
識別パターン読取部２３には、前述の可視光領域および赤外領域の波長光発光ＬＥＤが組み込まれたフォトカプラーが組みこまれており、発光光源から照射された光がレンズで集光されて商品券の券面に照射され、照射された光は、反射されて読取部２３に組み込まれたフォトトランジスタによって読取られる。フォトカプラーには光透過型と光反射型があり、いずれの場合も、受光部にフォトトランジスタが組み込まれている。
本発明の場合は、光反射型（フォトリフレクタ）を使用する。
【００２０】
図４，図６を参照して、認証用印刷物を認証するために照射する光源、および、識別パターン読取部のセンサーの感度領域について説明する。
図３で説明したように、可視光発光ＬＥＤ（Ｌｉｇｈｔ  Ｅｍｉｔｔｉｎｇ  Ｄｉｏｄｅ）と赤外光発光ＬＥＤから別々に照射する場合は、赤外光光源２１から照射光Ａ、可視光光源２２から照射光Ｂを照射する。
可視領域から赤外領域にわたる波長光発光ＬＥＤとフィルターを組み合わせて用いる場合は、照射光Ａ，照射光Ｂを一緒に照射してもよい。
赤外光光源２１から照射される照射光Ｂは、波長８５０ｎｍにピークを有する赤外領域の光で、可視光光源２２から照射される照射光Ｂは、波長４００ｎｍから７５０ｎｍにピークを有する可視領域の光である。
赤外発光材料は、前記可視光領域の光で励起され、波長８００ｎｍから９００ｎｍにピークを有する赤外領域の光を発光する。
発光された赤外光を、図６に示すような、波長８５０ｎｍにピークを有するフォトトランジスタで読取る。
フォトトランジスタは、感度を自由に調整できるようになっており、例えば、図６の相対感度で６０％以下の赤外光をカットすることによって、ノイズの影響を受けないように調整する。
【００２１】
（実施例１）
通常のインキであるプロセスインキの黄色と、プロセスインキの黄色顔料に可視光および赤外光によって赤外光を発光する赤外発光材料とを混合した特殊インキを作製した。
上質紙を商品券の大きさに切断し、その片側に万線パターンをプロセスインキで印刷し、万線パターンの上から、特殊インキで識別パターンであるバーコードを印刷した。
インキが乾燥した状態で、前記特殊インキで印刷した識別パターンは、通常のインキで印刷した万線パターンに阻まれて判別できなかった。
次に、識別パターン認証装置で、バーコード印刷部に可視光および赤外光領域の光を照射し、赤外領域に感度を持つセンサーで読み取ったところ、バーコードを正しく読取ることができた。
【００２２】
（実施例２）
可視光および赤外光によって赤外光を発光する透明顔料でインクジェット用のインキを作製し、インクジェットプリンターにて、ホログラムが全面に形成されたラベル上にバーコードを印字した。
バーコードが印字されたラベルをカードに貼付し、カードリーダに前述のカードを読取らせた。
カードリーダは、カード面に可視光、および、赤外光領域の光を照射し、赤外領域に感度を持つセンサーでバーコードを読み取るようになっており、ホログラム上のバーコードは、正しく読取られことが確認された。
【産業上の利用可能性】
【００２３】
偽造，変造，改竄防止を必要とする株券，商品券，ギフト券，搭乗券，クレジットカード，キャッシュカード，各種プリペイドカード，ＩＤカード，通行券，定期券，切符，各種チケット，銘板，各種認証用ラベル等に利用できる。
【図面の簡単な説明】
【００２４】
【図１】本発明の認証用印刷物の一例である商品券について説明するための図である。
【図２】図１のＡ−Ａ線断面図である。
【図３】認証用印刷物の認証方法について説明するための図である。
【図４】認証用印刷物を認証するために照射する光源について説明するための図である。
【図５】識別パターン読取部からみえる図１で説明した商品券の券面の一例である。
【図６】識別パターン読取部のセンサーの感度領域について説明するための図である。
【符号の説明】
【００２５】
１      認証用印刷物
２      識別パターン認証装置
１０    基材
１１    識別パターン
１２    識別パターン印刷部
１３    券名印刷部
１４    金種印刷部
１５    万線パターン
２１    赤外光光源
２２    可視光光源
２３    識別パターン読取部
【図１】
2007136838.tif 000003
【図２】
2007136838.tif 000004
【図３】
2007136838.tif 000005
【図４】
2007136838.tif 000006
【図５】
2007136838.tif 000007
【図６】
2007136838.tif 000008